(57)【要約】【課題】流路が形成されたチューブへのせん断力が軽減されると共に、応答性に優れ、小型化が可能でしかも安価な蠕動ポンプを提供する。【解決手段】流路が形成された可撓性のチューブの蠕動運動により流体を輸送する蠕動ポンプであって、チューブと、チューブの一方からチューブを支持するチューブ支持部と、磁石を備えておりチューブに対向して設置されて磁石をチューブに沿って移動させる磁石移動手段と、チューブに対してチューブ支持部の反対側に配置されチューブに沿って延在する可撓性の磁性シートとを備えており、磁石に近接する磁性シートの一部が磁石によりチューブ支持部側に引き付けられることにより、磁性シートの一部とチューブ支持部とによりチューブの一部が押圧され、磁石の移動に伴いチューブが押圧される位置が流体の輸送方向に移動して流体を輸送するように構成されている蠕動ポンプ。【選択図】図１
2019190335.tif 000002
【特許請求の範囲】
【請求項１】
流路が形成された可撓性のチューブの蠕動運動により流体を輸送する蠕動ポンプであって、
前記チューブと、
前記チューブの一方から前記チューブを支持するチューブ支持部と、
磁石を備えており、前記チューブに対向して設置されて、前記磁石を前記チューブに沿って移動させる磁石移動手段と、
前記チューブに対して前記チューブ支持部の反対側に配置され、前記チューブに沿って延在する可撓性の磁性シートとを備えており、
前記磁石に近接する前記磁性シートの一部が前記磁石により前記チューブ支持部側に引き付けられることにより、前記磁性シートの一部と前記チューブ支持部とにより前記チューブの一部が押圧され、前記磁石の移動に伴い前記チューブが押圧される位置が前記流体の輸送方向に移動して、前記流体を輸送するように構成されていることを特徴とする蠕動ポンプ。
【請求項２】
前記チューブ支持部に円弧状部が形成されており、
前記磁石移動手段が前記チューブ支持部に設けられ、前記チューブ支持部に支持された前記チューブの円弧状部に沿って前記磁石を回転させるローターと、前記ローターを回転駆動させる駆動手段とを備えていることを特徴とする請求項１に記載の蠕動ポンプ。
【請求項３】
前記チューブに円弧状部が形成されており、
前記チューブの下方に前記チューブ支持部が設けられ、
前記磁石移動手段が、前記チューブ支持部の下方に設けられ、前記チューブ支持部に支持された前記チューブの円弧状部に沿って磁石を回転させるローターと、前記ローターを回転駆動させる駆動手段とを備えることを特徴とする請求項１に記載の蠕動ポンプ。
【請求項４】
前記磁石移動手段に、前記磁石が１つまたは２つ以上配置されていることを特徴とする請求項１ないし請求項３のいずれか１項に記載の蠕動ポンプ。
【請求項５】
前記磁石移動手段に備えられた前記ローターに、２つ以上の前記磁石が、周方向に等間隔で配置されていることを特徴とする請求項２または請求項３に記載の蠕動ポンプ。
【請求項６】
前記チューブを形成する材料のショアＡ硬度が、３０〜８０であることを特徴とする請求項１ないし請求項５のいずれか１項に記載の蠕動ポンプ。
【請求項７】
前記チューブが、ゴム、熱可塑性エラストマー、または熱可塑性樹脂により形成されていることを特徴とする請求項６に記載の蠕動ポンプ。
【請求項８】
前記ゴムが、シリコーンゴム、ウレタンゴム、エチレンプロピレンゴム、フッ素ゴム、天然ゴムの少なくとも１種であることを特徴とする請求項７に記載の蠕動ポンプ。
【請求項９】
前記熱可塑性エラストマーが、スチレン系、オレフィン系、ウレタン系、ポリエステル系の少なくとも１種であることを特徴とする請求項７に記載の蠕動ポンプ。
【請求項１０】
前記熱可塑性樹脂が、ポリオレフィンであることを特徴とする請求項７に記載の蠕動ポンプ。
【請求項１１】
前記磁性シートが、ゴムあるいは熱可塑性樹脂の内部に軟磁性粉末が分散されたシート、ラバーマグネット、または鉄板により形成されていることを特徴とする請求項１ないし請求項１０のいずれか１項に記載の蠕動ポンプ。
【発明の詳細な説明】
【技術分野】
【０００１】
本発明は、微量の流体を輸送するための蠕動ポンプに関する。
【背景技術】
【０００２】
近年、医療用分析機器の小型化、ポータブル化の進展に伴い、微量の検体、薬液などの流体を微小流路内に輸送するためマイクロリットルオーダーの精度で流体を輸送することのできるマイクロポンプの開発が行われている。
【０００３】
上記マイクロポンプには、流路が形成された可撓性のチューブを備え、チューブを外から押圧して変形させ、流路内に体積変化を連続的に起こすことによって流体を輸送する蠕動ポンプ（ペリスタルティックポンプ）が用いられている。
【０００４】
蠕動ポンプの押圧機構としては、機構の単純さから主にローラー式（例えば特許文献１〜３参照）が用いられている。ローラー式は、ローターに取り付けられたローラーで半円状のチューブを輸送方向に向けて押圧することによってチューブを蠕動させる。このためローラーがチューブの表面を繰り返し摺動して、チューブにせん断力が作用するため、チューブが経時的に変形、破断する恐れがあるなどの問題があった。
【０００５】
そこで、チューブを押圧する手段として、電磁駆動によって磁性流体が凝集（集合）するときの凝集力を用い、チューブに沿って配置した複数の磁界発生手段や電磁駆動部を輸送方向に順次駆動させて可撓性被膜内に封入した磁性流体の凝集部を輸送方向に移動させることによりチューブを蠕動させる装置が開発されている（例えば特許文献４、５参照）。また、磁石同士の反発力や吸引力を用い、チューブの外表面にチューブに沿って複数の磁石を、その外側に複数の電磁石を配置し電磁石を輸送方向に順次励磁させて反発もしくは吸引する磁石を輸送方向に順に移すことによりチューブを蠕動させる装置が開発されている（例えば特許文献６、７参照）。これらの装置は、押圧手段にローラーを用いていないため、チューブに作用するせん断力が軽減される。
【０００６】
しかしながら、磁性流体を用いる装置は、可撓性被膜が蠕動の繰り返しによって劣化して破れる恐れがあるために一定厚さの可撓性被膜を必要とし、その結果、磁性流体の移動が遅くなり応答性が劣る。また、電磁駆動部および電磁石を用いる装置は、小型化に限度がありかつ高価であるため、これらを複数用いる装置は、小型化および製品コストの面で制約を受けるなどの問題があった。
【先行技術文献】
【特許文献】
【０００７】
【特許文献１】特表２０１６−５２０７５６号公報
【特許文献２】米国特許６２９６４６０号公報
【特許文献３】再公表特許ＷＯ２０１５／１７３９２６号公報
【特許文献４】特開平９−２８７５７１号公報
【特許文献５】特開平１１−７０１６７号公報
【特許文献６】特開２０１４−１１４７７２号公報
【特許文献７】特開２０１４−１３２８６０号公報
【発明の概要】
【発明が解決しようとする課題】
【０００８】
本発明は、上記した問題点に鑑み、流路が形成されたチューブへのせん断力が軽減されると共に、応答性に優れ、小型化が可能でしかも安価な蠕動ポンプを提供することを課題とする。
【課題を解決するための手段】
【０００９】
請求項１に記載の発明は、
流路が形成された可撓性のチューブの蠕動運動により流体を輸送する蠕動ポンプであって、
前記チューブと、
前記チューブの一方から前記チューブを支持するチューブ支持部と、
磁石を備えており、前記チューブに対向して設置されて、前記磁石を前記チューブに沿って移動させる磁石移動手段と、
前記チューブに対して前記チューブ支持部の反対側に配置され、前記チューブに沿って延在する可撓性の磁性シートとを備えており、
前記磁石に近接する前記磁性シートの一部が前記磁石により前記チューブ支持部側に引き付けられることにより、前記磁性シートの一部と前記チューブ支持部とにより前記チューブの一部が押圧され、前記磁石の移動に伴い前記チューブが押圧される位置が前記流体の輸送方向に移動して、前記流体を輸送するように構成されていることを特徴とする蠕動ポンプである。
【００１０】
請求項２に記載の発明は、
前記チューブ支持部に円弧状部が形成されており、
前記磁石移動手段が前記チューブ支持部に設けられ、前記チューブ支持部に支持された前記チューブの円弧状部に沿って前記磁石を回転させるローターと、前記ローターを回転駆動させる駆動手段とを備えていることを特徴とする請求項１に記載の蠕動ポンプである。
【００１１】
請求項３に記載の発明は、
前記チューブに円弧状部が形成されており、
前記チューブの下方に前記チューブ支持部が設けられ、
前記磁石移動手段が、前記チューブ支持部の下方に設けられ、前記チューブ支持部に支持された前記チューブの円弧状部に沿って磁石を回転させるローターと、前記ローターを回転駆動させる駆動手段とを備えることを特徴とする請求項１に記載の蠕動ポンプである。
【００１２】
請求項４に記載の発明は、
前記磁石移動手段に、前記磁石が１つまたは２つ以上配置されていることを特徴とする請求項１ないし請求項３のいずれか１項に記載の蠕動ポンプである。
【００１３】
請求項５に記載の発明は、
前記磁石移動手段に備えられた前記ローターに、２つ以上の前記磁石が、周方向に等間隔で配置されていることを特徴とする請求項２または請求項３に記載の蠕動ポンプである。
【００１４】
請求項６に記載の発明は、
前記チューブを形成する材料のショアＡ硬度が、３０〜８０であることを特徴とする請求項１ないし請求項５のいずれか１項に記載の蠕動ポンプである。
【００１５】
請求項７に記載の発明は、
前記チューブが、ゴム、熱可塑性エラストマー、または熱可塑性樹脂により形成されていることを特徴とする請求項６に記載の蠕動ポンプである。
【００１６】
請求項８に記載の発明は、
前記ゴムが、シリコーンゴム、ウレタンゴム、エチレンプロピレンゴム、フッ素ゴム、天然ゴムの少なくとも１種であることを特徴とする請求項７に記載の蠕動ポンプである。
【００１７】
請求項９に記載の発明は、
前記熱可塑性エラストマーが、スチレン系、オレフィン系、ウレタン系、ポリエステル系の少なくとも１種であることを特徴とする請求項７に記載の蠕動ポンプである。
【００１８】
請求項１０に記載の発明は、
前記熱可塑性樹脂が、ポリオレフィンであることを特徴とする請求項７に記載の蠕動ポンプである。
【００１９】
請求項１１に記載の発明は、
前記磁性シートが、ゴムあるいは熱可塑性樹脂の内部に軟磁性粉末が分散されたシート、ラバーマグネット、または鉄板により形成されていることを特徴とする請求項１ないし請求項１０のいずれか１項に記載の蠕動ポンプである。
【発明の効果】
【００２０】
本発明によれば、流路が形成されたチューブへのせん断力が軽減されると共に、応答性に優れ、小型化が可能でしかも安価な蠕動ポンプを提供することができる。
【図面の簡単な説明】
【００２１】
【図１】本発明の一実施の形態に係る蠕動ポンプの動作を模式的に示す平面図である。
【図２】本発明の一実施の形態に係る蠕動ポンプの動作を模式的に示す正面図である。
【図３】本発明の他の実施の形態に係る蠕動ポンプにおけるチューブの流路の形状の例を模式的に示す断面図である。
【図４】本発明の他の実施の形態に係る蠕動ポンプの動作を模式的に示す正面図である。
【図５】本発明の他の実施の形態に係る蠕動ポンプの動作を模式的に示す平面図である。
【図６】本発明の他の実施の形態に係る蠕動ポンプにおける磁石の配置を模式的に示す平面図である。
【発明を実施するための形態】
【００２２】
［１］本発明の概要
本発明に係る蠕動ポンプには、チューブに沿って延在する可撓性の磁性シートが配置されており、この磁性シートが磁石によりチューブ側に引き付けられることによりチューブを押圧し、さらに、チューブが押圧される位置が流体の輸送方向に連続的に移動することにより、流体を輸送するように構成されている。
【００２３】
上記の磁性シートは、磁石に対して優れた応答性を発揮して、チューブに対して垂直方向に押圧するだけで、流体の輸送方向に向けては押圧しないため、押圧に際して、チューブに作用するせん断力を軽減させることができる。また、このような磁性シートを配置することにより、蠕動ポンプの小型化、低価格化を図ることができる。
【００２４】
［２］本発明の実施の形態
以下、図面を参照しつつ、実施の形態に基づいて本発明を具体的に説明する。
【００２５】
１．第１の実施の形態
（１）本実施の形態に係る蠕動ポンプの全体構成
はじめに、本実施の形態に係る蠕動ポンプの全体構成について説明する。図１、図２は、本実施の形態の蠕動ポンプの動作を模式的に示す図であり、それぞれ、平面図、正面図である。本実施の形態に係る蠕動ポンプは、流路が形成された可撓性のチューブ１を蠕動させることによって流体を輸送する蠕動ポンプ（ペリスタルティックポンプ）であって、チューブ１を押圧して流路を閉じさせる（圧閉）ための押圧手段として、磁性シート３と磁石５とを用いている点に特徴がある。
【００２６】
図１に示すように、本実施の形態の蠕動ポンプにおいては、チューブ支持部２に支持されたチューブ１を挟んで両側に磁性シート３と磁石５とが配置されている。そして、磁石５が磁性シート３を引きつけて、磁性シート３をチューブ１側へ向けて変形させることにより、変形した磁性シート３がチューブ１をチューブ支持部２へと押圧することができる。
【００２７】
そして、磁石５を磁石移動手段のローター４に配置し、チューブ１に沿ってローター４を回転させて、磁石５を流体の輸送方向に合わせて移動させることにより、磁性シート３の変形部分も連続的に移動して、チューブ１の内部の流体が輸送されていく。なお、磁石５の移動により変形部分が移動した後の磁性シートはチューブ１に対する押圧を開放し、自身の弾性により元の形状に戻るチューブ１に合わせて元の位置に戻り、チューブ１の元の形状に戻った部分に新しい流体が送り込まれる。
【００２８】
このように、本実施の形態においては、磁石５を移動させる磁石移動手段がチューブ１とは直接接触せず、磁石５によって変形する磁性シート３がチューブ１を押圧するため、押圧手段を従来の蠕動ポンプのようにチューブ１に対して摺動させることなく、チューブ１が押圧される位置を移動させることができる。また、磁性シート３は、磁石に対して接近、離反する際、チューブ１の外周面に対して垂直方向に変形するため、チューブ１に対するせん断力等の負荷が低減され、チューブ１の疲労による素材の劣化を十分に抑制することができる。また、本実施の形態の蠕動ポンプは、動作機構が簡易で、さらに省電力であるため、十分な小型化が可能であり、ウェアラブルポータブル用等の超小型ポンプとしても最適である。
【００２９】
（２）本実施の形態に係る蠕動ポンプの具体的な構成部材
次に、本実施の形態に係る蠕動ポンプの具体的な構成部材について、個々に説明する。
【００３０】
（ａ）チューブ
流体の流路が形成されたチューブ１は可撓性のチューブから形成されている。チューブ１の配置は流体を輸送することができれば特に限定されないが、効率的な流体の輸送という観点から、半円の円弧形状に配置されていることが好ましい。このような配置は、後述するチューブ支持部２に円弧形状の部分を設けてチューブ１を配置することにより得ることができる。そして、磁石移動手段をローター４により円盤形状に形成することにより、より小型でありながらも効率的な流体の輸送が可能で、さらに安価な蠕動ポンプを提供することができる。
【００３１】
チューブを形成する材料としては、可撓性の材料であればよく、特に限定されないが、ショアＡ硬度が３０〜８０である材料が好ましい。ショアＡ硬度が３０未満の場合には、チューブが押圧された際にチューブの壁面同士が付着して、押圧力が取り除かれた後もチューブ内の流路が開通せず、流体の輸送に支障が生じる恐れがある。一方、８０を超える場合には、チューブが押圧されても変形しないため、流路を圧閉できなくなり、流体の輸送に支障が生じる恐れがある。より好ましいショアＡ硬度は３５〜７０であり、４０〜６５であるとさらに好ましい。
【００３２】
このような材料としては、シリコーンゴム、ウレタンゴム、エチレンプロピレンゴム、フッ素ゴム、天然ゴムなどの少なくとも１種からなるゴム、あるいはスチレン系、オレフィン系、ウレタン系、ポリエステルなどの少なくとも１種からなる熱可塑性エラストマー、もしくは、ポリオレフィンなどの熱可塑性樹脂を挙げることができる。
【００３３】
チューブの構成としては、１層からなる単層チューブであっても良いし、２層以上からなる多層チューブであっても良い。
【００３４】
チューブ流路の断面形状は、流体を輸送することができれば特に限定されず、例えば、図３に示すような、（ａ）真円、（ｂ）半円、（ｃ）楕円など、各種形状をとることができる。
【００３５】
チューブの製造方法としては、押出成形、射出成形、トランスファー成形、プレス成形など、既存の熱可塑性樹脂やゴムに適用される成形方法を用いても良いし、前記成形方法に加えて、各種接着剤による接着や、プラズマやエキシマーなどの表面処理による接着など、樹脂やゴムに用いられる一般的な接着方法で接合してチューブ流路を形成してもよい。
【００３６】
チューブの外径については特に制約はないが、チューブの外径が磁石と磁性シートとの間の距離を決める要素であることを考慮すると、磁石の磁束密度などにもよるが、一般的には、磁石と磁性シートとの間の距離が短いほうが、吸引力が働いて、チューブをより確実に押しつぶすことが可能となるため好ましい。具体的なチューブの外径としては、５．０ｍｍ以下が好ましい。５．０ｍｍよりも外径が大きくなると、磁石の磁束密度などによっては磁性シートがチューブを十分に押しつぶすことができない場合がある。４．０ｍｍ以下であるとより好ましく、３．０ｍｍ以下であるとさらに好ましい。
【００３７】
（ｂ）チューブ支持部
チューブ支持部２は、チューブ１を一方から支持するように設置されている。チューブ支持部２の形状はチューブ１を支持することができれば特に限定されないが、上記したように、チューブ１が半円の円弧形状に配置されることが好ましいことを考慮すると、同じように円弧形状であることが好ましい。そして、チューブ支持部２を円弧形状とすることにより、磁石移動手段を構成する円盤形状のローター４をチューブ支持部２の内側に容易に配置して回転させることができる。
【００３８】
（ｃ）磁石移動手段
磁石移動手段は、磁石５を備えており、チューブ１に沿って磁石５を移動させることができるように構成されている。磁石移動手段に備えられた磁石５が、チューブ１による流体の輸送方向に向けて移動することにより磁石５に引き付けられた磁性シート３の変形部分が移動していくため、磁性シート３の変形によりチューブ１が押圧される位置が輸送方向に連続的に移動していき、チューブ１内の流路に充填された流体を輸送することができる。
【００３９】
磁石移動手段は、磁石を流体の輸送方向に合わせて移動させる形状であれば限定されないが、円盤形状のローターは、ＤＣモーター、ステッピングモーターなどの駆動手段を用いて回転を精度高く制御して、磁石をチューブ１に沿ってスムーズに移動させることができるため、蠕動ポンプにおける流体の輸送に好ましい。そして、小型化に限度があり、かつ高価な電磁駆動部および電磁石を必要とする従来の蠕動ポンプと異なり、容易に小型化を図ることができ、しかも安価に提供することができる。
【００４０】
磁石移動手段のローター４に保持される磁石５の個数は、特に限定されず、輸送される流体の量などを考慮して適宜決定され、１つでもよいが、２つ以上配置することが好ましい。なお、２つ以上配置する場合には、精度高い流体の輸送という観点から、ローター４の外周部に等間隔で配置されることが好ましい。また、磁石の形状は、磁石が磁性シートを引き付ける力やチューブの太さ等を考慮して適宜決定される。
【００４１】
（ｄ）磁性シート
磁性シート３は、磁石５に引き付けられて容易に変形することができる磁性シートであれば特に限定されず、例えば、ラバーマグネットなどのシート状の磁石、鉄板などの軟磁性材料を薄く圧延して可撓性を付与したシート、またはゴムあるいは熱可塑性樹脂の内部に軟磁性粉末が分散されたシートにより形成されていることが好ましい。また、磁性シートの厚みも特に限定されないが、厚みが１ｍｍ以下のシートであると、磁石５の移動に対して高い応答性を発揮してチューブ１を十分に押圧することができ好ましい。
【００４２】
また、このような可撓性に富む磁性シートは、磁石５の接近、離反に対してスムーズに応答して、変形部分が移動していくため、流路の圧閉位置を磁石５の接近、離反に合わせて滑らかに移動させることができる。
【００４３】
なお、本実施の形態においては、磁性シート３を支持する磁性シート支持部６を設けてもよく、これにより、磁性シート３を適切な形状に支持することができる。なお、磁性シート支持部は、チューブ支持部と一体に形成して、ホルダーとしてもよい。
【００４４】
（３）本実施の形態に係る蠕動ポンプの具体的な構成および動作
次に、上記した各構成部材から構成される蠕動ポンプの具体的な構成および動作について説明する。
【００４５】
本実施の形態においては、図１、２に示すように、チューブ支持部２と磁性シート支持部６の間に半円の円弧状に溝７が設けられており、この溝７のチューブ支持部２側には流体が充填されたチューブ１が円弧状部１ａを形成するように配置され、磁性シート支持部６側にはチューブ１の円弧状部１ａに沿うように磁性シート３が配置されている。なお、磁性シート３は始端部、終端部の２箇所が磁性シート支持部６に固定されており、その他の箇所はフリーとなっている。
【００４６】
そして、チューブ支持部２の内側には、円盤形状のローター４が回転軸４ａを中心として回転するように配置されており、ローター４の外縁部には３つの磁石５が等間隔で配置されている。
【００４７】
そして、ローター４が回転して、磁石５が磁性シート３に接近してくると、磁性シート３は磁石５の磁力によって磁石５の方向に引き付けられて、チューブ１の方向に徐々に変形する。そして、磁石５と対向した位置で、磁性シート３は最も大きく変形して、その先端がチューブ１を押圧し、部分的にチューブ１を圧閉する。
【００４８】
そして、磁石５が回転しながら移動していくのに合わせて、磁性シート３の変形部分が移動していく。この結果、チューブ１内の流体を圧閉した状態のまま輸送していくことができる。
【００４９】
一方、変形部分が移動した後の磁性シート３は磁石５による引き付けから開放され、それに合わせて、磁性シート３のチューブ１に対する押圧が取り除かれる。押圧が取り除かれたチューブ１は、自身が有する弾性によって元の形状に戻ろうとするため、圧閉から開放されて、後続する流体が充填され、次の磁石の接近を待つ。
【００５０】
以上の動作を繰り返すことにより、高い精度で流体を輸送することが可能となる。
【００５１】
２．第２の実施の形態
前記した磁性シートの変形によって流体を輸送する蠕動ポンプとしては、第１の実施の形態とは異なる形態も可能であり、この形態の蠕動ポンプについて以下に説明する。
【００５２】
図４、図５はそれぞれ本実施の形態に係る蠕動ポンプの動作を模式的に示す正面図、平面図である。また、図６は磁石の配置を模式的に示す平面図であり、磁性シート支持部６を省略して溝７の内部が見えるようにしている。なお、図４〜図６における各符号は、図１、２と共通している。
【００５３】
図４に示すように、本実施の形態において、流路が形成された可撓性のチューブ１と、チューブ１を保持するチューブ支持部２と、磁性シート３と、磁石５と、磁石５を保持し回転軸によって回転自在に支持された円盤状のローター４と、回転軸を中心としてローター４を回転させる駆動部とを有し、チューブ１がチューブ支持部２によって保持された円弧状部１ａを有している点は、第１の実施の形態と同様である。しかし、本実施の形態においては、第１の実施の形態とは異なり、チューブ支持部２がチューブ１の下方に、また、磁性シート３がチューブ１の上方に配置されている。
【００５４】
具体的には、半円の円弧状に配置されたチューブ１の上方外周面に沿って磁性シート３が配置され、チューブ１の下方外周面は平板状のチューブ支持部２で支持されている。なお、磁性シート支持部６は、磁性シート３を背面から支持すると共に、溝７の蓋を兼ねており、磁性シート支持部６を設けることによってチューブ１と磁性シート３とを確実に溝７内に保持することができる。
【００５５】
そして、ローター４は、チューブ支持部２の下方に配置されて、回転軸４ａを中心に回転する。なお、磁石５は、第１の実施の形態と同様にローター４に配置されているが、その位置はチューブ１が配置されている半円の円弧状部の直下となっている。
【００５６】
このローター４が回転することにより、第１の実施の形態と同様に、磁石５が回転して、磁性シート３をチューブ１の方向に引き付けて変形させることにより、第１の実施の形態と同様に、チューブ１の外周面を押圧して、チューブ１を部分的に圧閉することができ、磁石５の移動に合わせて磁性シート３の変形部分も連続的に移動するため、チューブ１内の流体を圧閉した状態のまま輸送していくことができる。
【００５７】
本実施の形態においては、ローター４をチューブ支持部２と重ねて配置するため、チューブ支持部２をローター４よりも大きくする必要がない。このため、図６に示すように平面視におけるサイズをより小さくすることができる。一方、厚みは大きくなるが、磁石５をローター４に埋め込むことにより、厚みの増大を抑制することができる。
【００５８】
以上、本発明を実施の形態に基づき説明したが、本発明は上記の実施の形態に限定されるものではない。本発明と同一および均等の範囲内において、上記の実施の形態に対して種々の変更を加えることが可能である。
【符号の説明】
【００５９】
１        チューブ
１ａ      円弧状部
２        チューブ支持部
３        磁性シート
４        ローター
４ａ      回転軸
５        磁石
６        磁性シート支持部
７        溝
【図１】
2019190335.tif 000003
【図２】
2019190335.tif 000004
【図３】
2019190335.tif 000005
【図４】
2019190335.tif 000006
【図５】
2019190335.tif 000007
【図６】
2019190335.tif 000008